(57)【要約】【課題】電子カードを挿入しているとき、電流の流れがスムーズになる上がり防止用スイッチ付き電子カードコネクタを提供する。【解決手段】本体１０と、第一接続端子２０と、第二接続端子３０と、第三接続端子４０と、第一スイッチ端子５０と、第二スイッチ端子６０と、を備え、第一スイッチ端子５０の第一端は、回路板の第一接点と連接している第一接続端子２０と常時ラップしており、且つ第一接続端子２０のフック付き板２１１に係っており、また、第二スイッチ端子６０の第一端は、回路板の第二接点と連接している第二接続端子３０と常時ラップしており、且つ第二接続端子３０のフック付き板部３１１に係っており、そうすると、電子カードＣを挿入しているときには、第一スイッチ端子５０と第二スイッチ端子６０との第一端は、上がらずに第一接続端子２０と第二接続端子３０とにそれぞれラップする。【選択図】図７
0003148090.tif 000002
【実用新案登録請求の範囲】
【請求項１】
本体と、第一接続端子と、第二接続端子と、第三接続端子と、第一スイッチ端子と、第二スイッチ端子と、を備える上がり防止用スイッチ付きの電子カードコネクタにおいて、
前記本体は、電子カード差込穴が開設されており、多数の端子が嵌合されており、第一ベース部と第二ベース部とが設けられており、前記第一ベース部と第二ベース部とには、位置決め穴がそれぞれ開設されており、
前記第一接続端子は、前記本体内に設けられ、回路板の第一接点と連接しており、ラップセクションが設けられており、前記ラップセクションにはフック付き板が設けられており、
前記第二接続端子は、前記本体内に設けられ、回路板の第二接点と連接しており、ラップ部が設けられており、前記ラップ部にはフック付き板部が設けられており、
前記第三接続端子は、前記本体内に設けられ、回路板の第三接点と連接しており、ラップ板部が設けられており、
前記第一スイッチ端子は、その中段が前記本体に固定されており、その第一端にはラップ片と突起片とが設けられており、前記第一接続端子の前記ラップセクションに前記ラップ片を常時ラップさせ、且つ前記突起片が前記第一接続端子のフック付き板に係っており、また、前記第一スイッチ端子の第二端は、電子カードの差込経路に位置し、前記第二接続端子に対向しており、前記第二接続端子と接触せず、
前記第二スイッチ端子は、その中段が前記本体に固定されており、その第一端にはラップ片部と突起片部とが設けられており、前記第二接続端子のラップ部に前記ラップ片部を常時ラップさせ、且つ前記突起片部が前記第二接続端子のフック付き板部に係っており、また、前記第二スイッチ端子の第二端は、電子カードの差込経路に位置し、前記第三接続端子に対向しており、前記第三接続端子と接触せず、前記本体の電子カード差込穴に電子カードを差込んでいるときには、前記第一スイッチ端子の第二端が圧迫されて前記第二接続端子にラップしており、且つ前記第二スイッチ端子の第二端が第三接続端子にラップしており、このように、回路板の第一接点と第二接点と第三接点とが電気的に連通することを特徴とする電子カードコネクタ。
【請求項２】
前記第一スイッチ端子の中段には、係り片部が凸設されており、前記係り片部の側縁にはフック部が設けられており、前記フック部が前記本体の前記第一ベース部の前記位置決め穴に係っていることを特徴とする請求項１に記載の電子カードコネクタ。
【請求項３】
前記第二スイッチ端子の中段には、係り片部が凸設されており、前記係り片部の側縁にはフック部が設けられており、前記フック部が前記本体の前記第二ベース部の前記位置決め穴に係っていることを特徴とする請求項１に記載の電子カードコネクタ。
【請求項４】
前記第二接続端子には弾性アームが設けられており、前記弾性アームは、前記第一スイッチ端子の第二端に常時近接しており、常には前記第一スイッチ端子の第二端と接触せず、前記第一スイッチ端子は、挿入されている電子カードに圧迫されて前記第二接続端子へ変位しているときに、前記第一スイッチ端子の第二端が前記第二接続端子の弾性アームに押付けられることを特徴とする請求項１に記載の電子カードコネクタ。
【請求項５】
前記第三接続端子のラップ板部は、宙に浮いている弾性アームであり、前記第二スイッチ端子の第二端に常時近接しており、常には前記第二スイッチ端子の第二端と接触せず、前記第二スイッチ端子は、挿入されている電子カードに圧迫されて前記第三接続端子へ変位しているときに、前記第二スイッチ端子の第二端が前記第三接続端子のラップ板部に押付けられることを特徴とする請求項１に記載の電子カードコネクタ。
【考案の詳細な説明】
【技術分野】
【０００１】
本考案は、電子カードコネクタに関し、特に、第一スイッチ端子と第二スイッチ端子との第一端が上に上がらず、第一接続端子と第二接続端子とに安定してラップして、電流の流れがスムーズになる上がり防止用スイッチ付き電子カードコネクタに関する。
【背景技術】
【０００２】
図８及び図９に示すように、従来のスイッチ付き電子カードコネクタは、樹脂本体９１と、鉄製ケース９２と、多数の導電性付き端子９３と、第一スイッチ本体９４と、第二スイッチ本体９５と、から構成され、第一スイッチ本体９４と第二スイッチ本体９５とは、それぞれ樹脂本体９１の側縁に枢着されており、且つそれぞれバネ９６、９７に付勢されており、これにより、第一スイッチ本体９４と第二スイッチ本体９５との第二端は、樹脂本体９１に設けられた第一接続端子９８と第二接続端子９９とからそれぞれ離間しており、前記電子カードコネクタにメモリカード又は他の電子カードを挿入しているときには、第一スイッチ本体９４と第二スイッチ本体９５との第二端９４１、９５１は、圧迫されて下に変位して第一接続端子９８と第二接続端子９９とにラップして、第一接続端子９８と第二接続端子９９とが電気的に連通するようになる。
【０００３】
しかしながら、これは次のような欠点があった。
（１）従来の電子カードコネクタの第一スイッチ本体９４と第二スイッチ本体９５とのバネ９６、９７は捻じりバネであるので、寸法が小さく、高い精度が要求され、そうすると、加工が困難で、且つ捻じりバネの製品寿命及び信頼性も高くならない。
（２）従来の電子カードコネクタの第一スイッチ本体９４と第二スイッチ本体９５とは、それぞれ一つのバネ９６、９７が必要であるので、部品の点数が４個になり、組付ける際には、第一スイッチ本体９４と第二スイッチ本体９５とバネ９６、９７との寸法が小さいので、組立作業が困難になり、組立作業の工数が増加し、そして組立てた後に、バネ９６、９７が離脱し易い。
【０００４】
よって、本考案の出願者は、図１０から図１２に示すようなスイッチ付き電子カードコネクタを提案した。これは、本体８１と、第一接続端子８２と、第二接続端子８３と、第三接続端子８４と、第一スイッチ端子８５と、第二スイッチ端子８６と、を備える。第一接続端子８２は、本体８１内に設けられており、回路板Ｐの第一接点Ｐ１と電気的に連接しており、第二接続端子８３は、本体８１内に設けられており、回路板Ｐの第二接点Ｐ２と電気的に連接しており、第三接続端子８４は、本体８１内に設けられており、回路板Ｐの第三接点Ｐ３と電気的に連接しており、第一スイッチ端子８５は、本体８１内に設けられており、その第一端８５１が常時第一接続端子８２とラップしており、また、その第二端８５２は、電子カードＣの差込経路に位置し、第二接続端子８３と接触せずに第二接続端子８３に対向しており、第二スイッチ端子８６は、本体８１内に設けられており、その第一端８６１が常時第二接続端子８３とラップしており、また、その第二端８６２は、電子カードＣの差込経路に位置し、第二接続端子８４と接触せずに第二接続端子８４に対向しており、本体８１に電子カードＣを挿入しているときには、第一スイッチ端子８５の第二端８５２が圧迫されて第二接続端子８３とラップし、且つ第二スイッチ端子８６の第二端８６２が圧迫されて第三接続端子８４とラップし、そうすると、回路板Ｐにおいて、第一接点Ｐ１と第二接点Ｐ２と第三接点Ｐ３とが電気的に連通するようになり、これにより、電子カードコネクタと電子カードＣとの接続が完成したと判定することができ、このとき、挿入された電子カードＣに記憶された資料を読取ることができる。
【０００５】
しかしながら、上記の電子カードコネクタは、図１１に示すように、電子カードＣを挿入しているときには、電子カードＣが第一スイッチ端子８５の第二端８５２と第二スイッチ端子８６の第二端８６２とを圧迫して、第一スイッチ端子８５と第二スイッチ端子８６とは、中段を支点として第一端８５１、８６１が上に上げられ、図１２の破線に示すように、第一スイッチ端子８５の第一端８５１は第一接続端子８２と確実にラップすることができず、これにより、回路板Ｐにおいて、第一接点Ｐ１と第二接点Ｐ２と第三接点Ｐ３とが電気的に連通することができず、電子カードコネクタは正常に使用することができない。
【考案の開示】
【考案が解決しようとする課題】
【０００６】
本考案の主な目的は、電子カードを挿入しているときには、第一スイッチ端子と第二スイッチ端子との第一端が上に上がらず、第一接続端子と第二接続端子とに安定してラップし、電流の流れがスムーズになる上がり防止用スイッチ付き電子カードコネクタを提供することにある。
【課題を解決するための手段】
【０００７】
上記目的を達成するため、本考案に係る電子カードコネクタは、本体と、第一接続端子と、第二接続端子と、第三接続端子と、第一スイッチ端子と、第二スイッチ端子と、を備え、前記本体は、電子カード差込穴が開設されており、多数の端子が嵌合されており、第一ベース部と、第二ベース部とが設けられており、前記第一ベース部と第二ベース部とには、位置決め穴がそれぞれ開設されており、前記第一接続端子は、前記本体内に設けられ、回路板の第一接点と連接しており、ラップセクションが設けられており、前記ラップセクションにはフック付き板が設けられており、前記第二接続端子は、前記本体内に設けられ、回路板の第二接点と連接しており、ラップ部が設けられており、前記ラップ部にはフック付き板部が設けられており、前記第三接続端子は、前記本体内に設けられ、回路板の第三接点と連接しており、ラップ板部が設けられており、前記第一スイッチ端子は、その中段が前記本体に固定されており、その第一端にはラップ片と突起片とが設けられており、前記第一接続端子のラップセクションに前記ラップ片を常時ラップさせ、且つ前記突起片が前記第一接続端子のフック付き板に係っており、また、前記第一スイッチ端子の第二端は、電子カードの差込経路に位置し、前記第二接続端子に対向しており、前記第二接続端子と接触せず、前記第二スイッチ端子は、その中段が前記本体に固定されており、その第一端にはラップ片部と突起片部とが設けられており、前記第二接続端子のラップ部に前記ラップ片部を常時ラップさせ、且つ前記突起片部が前記第二接続端子のフック付き板部に係っており、また、前記第二スイッチ端子の第二端は、電子カードの差込経路に位置し、前記第三接続端子に対向しており、前記第三接続端子と接触せず、前記本体の電子カード差込穴に電子カードを差込んでいるときには、前記第一スイッチ端子の第二端が圧迫されて前記第二接続端子にラップしており、且つ前記第二スイッチ端子の第二端が第三接続端子にラップしており、回路板の第一接点と第二接点と第三接点とが電気的に連通するようになる。
【０００８】
さらに、本考案に係る電子カードコネクタにおいて、前記第一スイッチ端子の中段には、係り片部が凸設されており、前記係り片部の側縁にはフック部が設けられており、前記フック部が前記本体の第一ベース部の位置決め穴に係っている。
【０００９】
またさらに、本考案に係る電子カードコネクタにおいて、前記第二スイッチ端子の中段には、係り片部が凸設されており、前記係り片部の側縁にはフック部が設けられており、前記フック部が前記本体の第二ベース部の位置決め穴に係っている。
【００１０】
またさらに、本考案に係る電子カードコネクタにおいて、前記第二接続端子には弾性アームが設けられており、前記弾性アームは、前記第一スイッチ端子の第二端に常時近接しており、常に前記第一スイッチ端子の第二端と接触せず、前記第一スイッチ端子は、挿入されている電子カードに圧迫されて前記第二接続端子へ変位しているときに、前記第一スイッチ端子の第二端が前記第二接続端子の弾性アームに押付けられる。
【００１１】
またさらに、本考案に係る電子カードコネクタにおいて、前記第三接続端子のラップ板部は、宙に浮いている弾性アームであり、前記第二スイッチ端子の第二端に常時近接しており、常には前記第二スイッチ端子の第二端と接触せず、前記第二スイッチ端子は、挿入されている電子カードに圧迫されて前記第三接続端子へ変位しているときに、前記第二スイッチ端子の第二端が前記第三接続端子のラップ板部に押付けられる。
【００１２】
（考案の効果）
本考案の上がり防止用スイッチ付き電子カードコネクタによれば、電子カードを挿入しているときには、第一スイッチ端子と第二スイッチ端子との第一端は上に上がらず、第一接続端子と第二接続端子とに安定してラップして、電流の流れがスムーズになるという効果を有する。
【考案を実施するための最良の形態】
【００１３】
（一実施形態）
以下、本考案の実施の形態を図面に基づいて説明する。
図１から図７に示すように、本考案の一実施形態による上がり防止用スイッチ付き電子カードコネクタは、本体１０と、第一接続端子２０と、第二接続端子３０と、第三接続端子４０と、第一スイッチ端子５０と、第二スイッチ端子６０と、を備える。第一スイッチ端子５０の第一端は、回路板Ｐの第一接点Ｐ１と連接している第一接続端子２０と常時ラップしており、且つ第一接続端子２０のフック付き板２１１に係っている。また、第二スイッチ端子６０の第一端は、回路板Ｐの第二接点Ｐ２と連接している第二接続端子３０と常時ラップしており、且つ第二接続端子３０のフック付き板部３１１に係っている。そうすると、電子カードＣを挿入しているときには、第一スイッチ端子５０と第二スイッチ端子６０との第一端は、上がらずに第一接続端子２０と第二接続端子３０とにそれぞれラップすることができ、電流の流れがスムーズになる。
【００１４】
本実施形態に係る上がり防止用スイッチ付き電子カードコネクタは、本体１０と、第一接続端子２０と、第二接続端子３０と、第三接続端子４０と、第一スイッチ端子５０と、第二スイッチ端子６０と、を備える。本体１０は、電子カード差込穴１１が開設されており、多数の端子１２が嵌合されている。第一接続端子２０は、本体１０内に設けられ、回路板Ｐの第一接点Ｐ１と連接しており、ラップセクション２１が設けられており、ラップセクション２１にはフック付き板２１１が設けられている。第二接続端子３０は、本体１０内に設けられ、回路板Ｐの第二接点Ｐ２と連接しており、ラップ部３１が設けられており、ラップ部３１にはフック付き板部３１１が設けられている。第三接続端子４０は、本体１０内に設けられ、回路板Ｐの第三接点Ｐ３と連接しており、ラップ板部４１が設けられている。第一スイッチ端子５０は、その中段が本体１０に固定されており、その第一端５０ａにはラップ片５１と突起片５２とが設けられており、第一接続端子２０のラップセクション２１にラップ片５１を常時ラップさせ、且つ突起片５２が第一接続端子２０のフック付き板２１１に係っている。また、第一スイッチ端子５０の第二端５０ｂは、電子カードＣの差込経路に位置し、第二接続端子３０に対向しており、第二接続端子３０と接触しない。第二スイッチ端子６０は、その中段が本体１０に固定されており、その第一端６０ａにはラップ片部６１と突起片部６２とが設けられており、第二接続端子３０のラップ部３１にラップ片部６１を常時ラップさせ、且つ突起片部６２が第二接続端子３０のフック付き板部３１１に係っている。また、第二スイッチ端子６０の第二端６０ｂは、電子カードＣの差込経路に位置し、第三接続端子４０のラップ板部４１に対向しており、第三接続端子４０と接触しない。本体１０の電子カード差込穴１１に電子カードＣを差込んでいるときには、第一スイッチ端子５０の第二端５０ｂが圧迫されて第二接続端子３０にラップしており、且つ第二スイッチ端子６０の第二端６０ｂが第三接続端子４０にラップしており、このように、回路板Ｐの第一接点Ｐ１と第二接点Ｐ２と第三接点Ｐ３とが電気的に連通するようになり、挿入された電子カードＣに記憶された資料を読取ることができる。
【００１５】
図２から図５に示すように、本実施形態に係る上がり防止用スイッチ付き電子カードコネクタは、本体１０には、第一ベース部１３と、第二ベース部１４とが設けられており、第一ベース部１３と第二ベース部１４とには、位置決め穴１３１、１４１がそれぞれ開設されており、これにより、第一スイッチ端子５０と第二スイッチ端子６０との中段が安定して跨ぐことができる。
【００１６】
本実施形態に係る上がり防止用スイッチ付き電子カードコネクタにおいて、本体１０は、樹脂本体１０ａと、カバー１０ｂとから構成され、各端子１２と第一接続端子２０と第二接続端子３０と第三接続端子４０とが樹脂本体１０ａに埋設され、又は嵌設されている。
【００１７】
図１から図５に示すように、本実施形態に係る上がり防止用スイッチ付き電子カードコネクタにおいて、第一スイッチ端子５０の中段には、係り片部５３が凸設されており、係り片部５３の側縁にはフック部５３１が設けられており、フック部５３１が本体１０の第一ベース部１３の位置決め穴１３１に係っている。本実施形態に係る第一スイッチ端子５０の中段が第一ベース部１３を跨っているときには、第一スイッチ端子５０の第二端５０ｂが宙に浮かんでいる。
【００１８】
本実施形態に係る上がり防止用スイッチ付き電子カードコネクタにおいて、第二スイッチ端子６０の中段には、係り片部６３が凸設されており、係り片部６３の側縁にはフック部６３１が設けられており、フック部６３１が本体１０の第二ベース部１４の位置決め穴１４１に係っている。本実施形態に係る第二スイッチ端子６０の中段が第二ベース部１４を跨っているときには、第二スイッチ端子６０の第二端６０ｂが宙に浮かんでいる。
【００１９】
図１、図６及び図７に示すように、第二接続端子３０には弾性アーム３２が設けられており、弾性アーム３２は、第一スイッチ端子５０の第二端５０ｂに常時近接しており、常には第一スイッチ端子５０の第二端５０ｂと接触せず、第一スイッチ端子５０は、挿入されている電子カードＣに圧迫されて第二接続端子３０へ変位しているときに、第一スイッチ端子５０の第二端５０ｂが第二接続端子３０の弾性アーム３２に押付けられる。
【００２０】
第三接続端子４０のラップ板部４１は、宙に浮いている弾性アームであり、第二スイッチ端子６０の第二端６０ｂに常時近接しており、常には第二スイッチ端子６０の第二端６０ｂと接触せず、第二スイッチ端子６０は、挿入されている電子カードＣに圧迫されて第三接続端子４０へ変位しているときに、第二スイッチ端子６０の第二端６０ｂが前記第三接続端子４０のラップ板部４１に押付けられる。
【００２１】
図１、図２、図６及び図７に示すように、本実施形態に係る上がり防止用スイッチ付き電子カードコネクタは、本体１０に電子カードＣを挿入しているときには、電子カードＣは、第一スイッチ端子５０の第二端５０ｂを第二接続端子３０に、第二スイッチ端子６０の第二端６０ｂを第三接続端子４０に、順次にラップさせ、そうすると、回路板Ｐは、第一接点Ｐ１と第二接点Ｐ２と第三接点Ｐ３とが電気的に連通するようになり、これにより、電子カードコネクタと電子カードＣとの接続が完成したと判定することができる。また、上記の過程中には、電子カードＣが第一スイッチ端子５０の第二端５０ｂと第二スイッチ端子６０の第二端６０ｂとを順次に圧迫して、第一スイッチ端子５０と第二スイッチ端子６０とは中段を支点として第一端５０ａ、６０ａが上げられ、又は第一スイッチ端子５０のラップ片５１が第一接続端子２０のラップセクション２１から離間し、第二スイッチ端子６０のラップ片６１が第二接続端子３０のラップ部３１から離間するようになるが、突起片５２により第一スイッチ端子５０が第一接続端子２０のフック付き板２１１に係っているため、第一スイッチ端子５０と第一接続端子２０とが電気的に連通しており、また、突起片６２により第二スイッチ端子６０が第二接続端子３０のフック付き板部３１１に係っているため、第二スイッチ端子６０と第二接続端子３０とが電気的に連通しており、これにより、回路板Ｐは、第一接点Ｐ１と第二接点Ｐ２と第三接点Ｐ３とが確実に電気的に連通するようになり、電子カードコネクタと電子カードＣとの接続が完成したと判定することができる。
【００２２】
なお、本考案は前記の実施の形態に限定されるものではなく、本考案の趣旨に基づいて種々変形させることが可能であり、それらを本考案の範囲から排除するものではない。
【図面の簡単な説明】
【００２３】
【図１】本考案の一実施形態による上がり防止用スイッチ付き電子カードコネクタの一部を示す分解斜視図である。
【図２】本考案の一実施形態による上がり防止用スイッチ付き電子カードコネクタを示す分解斜視図である。
【図３】本考案の一実施形態による上がり防止用スイッチ付き電子カードコネクタにおいて、カバーの取り除いた状態を示す斜視図である。
【図４】図３を別の視点から見た斜視図である。
【図５】本考案の一実施形態による上がり防止用スイッチ付き電子カードコネクタを示す斜視図である。
【図６】図５の６‐６線に沿う断面図である。
【図７】図６においての電子カードが差し込まれた状態を示す模式図である。
【図８】従来のスイッチを有する電子カードコネクタを示す分解斜視図である。
【図９】図８の従来のスイッチを有する電子カードコネクタの一部を示す斜視図である。
【図１０】他の従来のスイッチを有する電子カードコネクタを示す分解斜視図である。
【図１１】図１０の他の従来のスイッチを有する電子カードコネクタを示す断面図である。
【図１２】図１１の電子カードコネクタにおいて電子カードが差し込まれた状態を示す模式図である。
【符号の説明】
【００２４】
１０：本体、１０ａ：樹脂本体、１０ｂ：カバー、１１：電子カード差込穴、１２：端子、１３：第一ベース部、１４：第二ベース部、２０：第一接続端子、２１：ラップ部、３０：第二接続端子、３１：ラップ部、３２：弾性アーム、４０：第三接続端子、４１：ラップ板部、５０：第一スイッチ端子、５０ａ：第一端、５０ｂ：第二端、５１：ラップ片、５２：突起片、５３：係り片部、６０：第二スイッチ端子、６０ａ：第一端、６０ｂ：第二端、６１：ラップ片部、６２：突起片部、６３：係り片部、８１：本体、８２：第一接続端子、８３：第二接続端子、８４：第三接続端子、８５：第一スイッチ端子、８６：第一スイッチ端子、９１：樹脂本体、９２：鉄製ケース、９３：導電性付き端子、９４：第一スイッチ本体、９５：第二スイッチ本体、９６：バネ、９７：バネ、９８：第一接続端子、９９：第二接続端子、１３１：位置決め穴、１４１：位置決め穴、２１１：フック付き板、３１１：フック付き板部、５３１：フック部、６３１：フック部、８５１：第一端、８５２：第二端、８６１：第一端、８６２：第二端、９４１：第二端、９５１：第二端、Ｃ：電子カード、Ｐ：回路板、Ｐ１：第一接点、Ｐ２：第二接点、Ｐ３：第三接点
【図１】
0003148090.tif 000003
【図２】
0003148090.tif 000004
【図３】
0003148090.tif 000005
【図４】
0003148090.tif 000006
【図５】
0003148090.tif 000007
【図６】
0003148090.tif 000008
【図７】
0003148090.tif 000009
【図８】
0003148090.tif 000010
【図９】
0003148090.tif 000011
【図１０】
0003148090.tif 000012
【図１１】
0003148090.tif 000013
【図１２】
0003148090.tif 000014